(57)【特許請求の範囲】
【請求項１】
スライド自在に配設され、そのスライド方向に間隔をおいて２つの表示部を配設したスライダと、
前記スライダのスライドによって切り換えられる接点部と、
前記スライダの前記表示部に光を投光する光源手段と、
前記スライダのスライド方向側の前記表示部への前記光源手段からの光を遮蔽する一対の遮蔽部と、
前記一対の遮蔽部間に形成され、前記光源手段からの光を前記スライダの前記表示部へ透過して前記表示部を照光させる開口部とを備え、
前記スライダが中立位置にあるときは、前記光源手段からの光を前記開口部を透過して前記両表示部を照光させ、前記スライダを一方にスライドさせたときは、スライド方向側の前記遮蔽部によって前記光源手段からの光を遮ってスライド方向側の前記表示部を照光させず、もう一方の前記表示部は前記開口部に対向し前記光源手段からの光によって照光されていることを特徴とする照光式スイッチ装置。
【請求項２】
四方向にパドルノブを操作して多方向のスイッチの切換を行える四方向スイッチ部と、
前記四方向スイッチ部の下部に配設された１つの光源手段と、
前記光源手段を位置させて露出させる開口部を形成すると共に、前記四方向スイッチ部の外方方向に配設された導光体と、
前記パドルノブに設けられ、前記導光体の開口部から露出された前記光源手段からの光によって照光される四方向スイッチ表示部と、
前記光源手段の光を前記導光体を通って入射させ、かつ前記導光体の長手方向と直交する方向にスライドするスライダを有するスライドスイッチ部と、
前記スライダにスライド方向に間隔をあけて配設されたスライドスイッチ表示部と、
前記スライダに前記スライドスイッチ表示部に対応して設けられ、前記導光体からの光を前記スライドスイッチ表示部へ反射する反射面と、
前記スライダのスライド方向側の前記スライドスイッチ表示部への前記光源手段からの光を遮蔽する一対の遮蔽部と、
前記一対の遮蔽部間に形成され、前記光源手段からの光を前記スライダの前記スライドスイッチ表示部へ透過して前記スライドスイッチ表示部を照光させる開口部とを備え、
前記導光体の開口部から露出された前記光源手段からの光によって四方向スイッチ表示部を照光するとともに、前記光源手段からの光を前記導光体によって前記スライダの前記反射面に導き、前記スライダが中立位置にあるときは、前記光源手段からの光を前記開口部を透過して前記両スライドスイッチ表示部を照光させ、前記スライダを一方にスライドさせたときは、スライド方向側の前記遮蔽部によって前記光源手段からの光を遮ってスライド方向側の前記スライドスイッチ表示部を照光させず、もう一方の前記スライドスイッチ表示部は前記開口部に対向し前記光源手段からの光によって照光されていることを特徴とするの照光式スイッチ装置。
【発明の詳細な説明】
【０００１】
【発明の属する技術分野】
本発明は、機器のオンオフや機能を切換えるためのスイッチ装置に関し、特に、内部に備えた光源手段により操作体の位置や切換え状態を表示する照光式スイッチ装置に関する。
【０００２】
【従来の技術】
機器のオンオフや設定された複数の機能を切換えるためのスイッチ装置は従来より種々提供されている。これらスイッチ装置はまた、機器の小型化や限られた狭いスペースに設置される場合には、スイッチ装置の小型化も要求される。そこで、１つの操作体の操作で複数のスイッチ素子を選択的に動作させることにより、多数の機能の設定を行える小型のスイッチ装置も提供されている。
【０００３】
このようなスイッチ装置の一例として、自動車の車体に備えられる左右のミラーの角度等をモータの駆動力で運転席から遠隔操作するために用いられるミラースイッチ装置がある。このミラースイッチ装置は、左あるいは右ミラーに切換える切換えスイッチと、切換えられたミラーの傾斜角度を上下左右方向に調整するため任意の方向に傾斜可能な１つのつまみを備えた角度調整用のスイッチとが１つの筐体内にまとめられている。
【０００４】
一方、このような車両に搭載されたスイッチ装置は、夕暮れや夜間等暗くなった時期において操作することがあり、暗い場所でもスイッチ装置の位置や現状等が判るように照明装置を組み込んだ照光式スイッチ装置が使用されている。特に上述したミラースイッチ装置のように２つのスイッチが近接して組み込まれているような場合には、切換えスイッチの現状位置、あるいは上下左右の操作位置等が暗くても容易に判別できるように照明することが望まれている。
【０００５】
従来の照光式スイッチ装置の一例としては、例えば実開昭６２−１５３７１９号公報がある。この従来例は、スイッチ本体の底部の一端側に１つの発光体を設け、この発光体上をスライドするようにスライドノブを設けている。このスライドノブは、スイッチ本体上に突出するつまみ部と、一端がつまみ部に位置し、他端はスライドノブが一方向にスライドした時に発光体の上方に位置するように配置された透光性部材とを有している。したがって、発光体の上方に透光性部材の端部が位置するようにスライドノブを移動させることによりつまみ部が照光するので、スイッチのオンあるいはオフ状態を判別することができる。
【０００６】
しかしながら、一方の状態の時のみ照光するのでは、照光していない状態時は暗やみの中ではスイッチ装置の設置場所すらも判別できず、極めて不便である。そこで上記の従来例においては、スイッチ本体の底部の両端にそれぞれ発光色の異なる発光体をそれぞれ設け、透光性部材は一方の発光体からの光を受光している時は他方の発光体からの光は受光しないようにし、いずれの状態においても照光されるようにすることも提案されている。
【０００７】
【発明が解決しようとする課題】
このように従来例においては、いずれの方向に切換えても照光されるようにするためには２つの発光体が必要となり、コストアップとなってしまう。また、つまみ部の点灯色で、いずれの状態に切換っているかを識別するしかなく、その状態を把握するには機器の使用になれる必要がある。更に、点灯色の切換えのみであり、オンやオフ等のスイッチの表示を切換えることはできず、機器の使用になれていない人には判り難い等の問題点がある。
【０００８】
本発明の第１の課題は、一方にスライダをスライドさせると、スライドスイッチ表示部に切換えによって動作する機器や方向あるいは機能を表示されて、暗い場所で使用しても確実に切換え状態を認識することができ、また、中立位置にある時は何れのスライドスイッチ表示部も照光させて、暗い場所でも簡単にスイッチ装置の状態を認識できる照光式スイッチ装置を提供することである。
【０００９】
本発明の第２の課題は、前記第１の課題を解決し、かつ１つの光源手段により２つのスイッチ部の表示部を照光することができる照光式スイッチ装置を提供することである。
【００１０】
【課題を解決するための手段】
上記第１の課題は、スライド自在に配設され、そのスライド方向に間隔をおいて２つの表示部を配設したスライダと、前記スライダのスライドによって切り換えられる接点部と、前記スライダの前記表示部に光を投光する光源手段と、前記スライダのスライド方向側の前記表示部への前記光源手段からの光を遮蔽する一対の遮蔽部と、前記一対の遮蔽部間に形成され、前記光源手段からの光を前記スライダの前記表示部へ透過して前記表示部を照光させる開口部とを備え、前記スライダが中立位置にあるときは、前記光源手段からの光を前記開口部を透過して前記両表示部を照光させ、前記スライダを一方にスライドさせたときは、スライド方向側の前記遮蔽部によって前記光源手段からの光を遮ってスライド方向側の前記表示部を照光させず、もう一方の前記表示部は前記開口部に対向し前記光源手段からの光によって照光されている第１の手段により解決される。
【００１１】
上記第２の課題は、四方向にパドルノブを操作して多方向のスイッチの切換を行える四方向スイッチ部と、前記四方向スイッチ部の下部に配設された１つの光源手段と、前記光源手段を位置させて露出させる開口部を形成すると共に、前記四方向スイッチ部の外方方向に配設された導光体と、前記パドルノブに設けられ、前記導光体の開口部から露出された前記光源手段からの光によって照光される四方向スイッチ表示部と、前記光源手段の光を前記導光体を通って入射させ、かつ前記導光体の長手方向と直交する方向にスライドするスライダを有するスライドスイッチ部と、前記スライダにスライド方向に間隔をあけて配設されたスライドスイッチ表示部と、前記スライダに前記スライドスイッチ表示部に対応して設けられ、前記導光体からの光を前記スライドスイッチ表示部へ反射する反射面と、前記スライダのスライド方向側の前記スライドスイッチ表示部への前記光源手段からの光を遮蔽する一対の遮蔽部と、前記一対の遮蔽部間に形成され、前記光源手段からの光を前記スライダの前記スライドスイッチ表示部へ透過して前記スライドスイッチ表示部を照光させる開口部とを備え、前記導光体の開口部から露出された前記光源手段からの光によって四方向スイッチ表示部を照光するとともに、前記光源手段からの光を前記導光体によって前記スライダの前記反射面に導き、前記スライダが中立位置にあるときは、前記光源手段からの光を前記開口部を透過して前記両表示部を照光させ、前記スライダを一方にスライドさせたときは、スライド方向側の前記遮蔽部によって前記光源手段からの光を遮ってスライド方向側の前記表示部を照光させず、もう一方の前記表示部は前記開口部に対向し前記光源手段からの光によって照光されている第２の手段により解決される。
【００１２】
【発明の実施の形態】
以下、本発明の実施の形態を図面を参照して説明する。ここで説明する実施の形態においてはミラースイッチ装置に適用した場合を例にとっている。
図１はこの実施の形態を分解して示す分解斜視図、図２はその平面図、図３は図２のＡ−Ａ線に沿って切断して示す縦断側面図、図４は導光体とスライダを詳細に示す斜視図、図５はハウジングの底面図、図６はつまみが中立位置にある場合を示す縦断面図、図７は図６の位置からつまみが一方向に切換えられた状態を示す縦断面図である。
【００１３】
図１に示すようにこのミラースイッチ装置は、下端が開放したハウジング１と、左右のミラー駆動用モータ（図示しない）の選択制御するスライドノブ２と、ミラーの上下左右方向を設定する操作体であるパドルノブ３と、スライドノブ２に光を送るための導光体４と、複数の固定接点のパターン等が印刷されたプリント基板５と、ハウジング１とともに、導光体４やプリント基板５等を固定するカバーである底板６とから主に構成されている。
【００１４】
ハウジング１には、その上面部にスライドスイッチ部のスライドノブ２の下部が挿入される開口部１１と、開口部１１の両側でスライドノブ２のスライド方向に形成された一対の遮蔽部１９，１９と、四方向スイッチ部のパドルノブ３の下部が挿入される略矩形の収納凹部１２と、上面部の各辺に形成された側面１４，１４…が設けられている。
この収納凹部１２の略中央部には、後述するようにパドルノブ３の下部を揺動自在に支持する支持台１３が一体的に形成されている。ハウジング１の側面１４の一方の相対する両側面１４の下部には、それぞれ一対の係止凹部１５が所定の間隔をおいて穿設されている。
【００１５】
スライドノブ２はハウジング１の上面部の上に配設され、ハウジング１の開口部１１内にその長手方向にスライド可能に嵌挿されている。このスライドノブ２には、その上面中央に操作時に指をかけるつまみ部１６が形成され、このつまみ部１６の両側でスライド方向には、方向を示す矢印や文字、記号を表示する透光性のある表示部（スライドスイッチ表示部）１８，１８が２成分モールド成形されている。また、スライドノブ２の中央下面には四角筒状の連結部が突設され、連結部の対向壁に係合凹部２０，２０が形成されている。
【００１６】
ハウジング１内には、スライドノブ２と一体化されているスライダ体７がスライド可能に収納されている。これらスライドノブ２とスライダ体７によってスライダが構成されている。
このスライダ体７は、透明な合成樹脂で作られており、図３から図６に示すように、その上面中央には連結部２１が突設されている。このスライダ体７の連結部２１はハウジング１の開口部１１に挿通されてスライドノブ２の連結部に嵌合され、スライダ体７の連結部２１の係合突起部２１ａがスライドノブ２の係合凹部２０，２０と係合されてスライドノブ２とスライダ体７はスナップ結合されている。スライドノブ２の表示部１８，１８の下とスライダ体７の間には隙間がそれぞれ設けられ、これらの隙間にハウジング１の遮蔽部１９，１９が配設されている。
これにより、ハウジング１の上方からスライドノブ２を開口部１１に沿って往復動させると、スライダ体７も同方向に往復動する。スライダ体７の移動方向長さは、一方向に移動させて連結部２１が開口部１１の一端部に係止した時には、連結部２１の反対方向に位置する部分が開口部１１の下に位置することができる長さになっている。
また、スライダ体７の移動方向と直交する方向の側面にはつまみ部１６の肉厚分に相当する長さの間隔をおいて２つの矩形の凹部２２が略水平に穿設されている。これら２つの凹部２２の先端部は底部から上面部に向かい傾斜させ、これら凹部２２の開口部が位置する側面と相対する側面から光を当てた時、その光を上方に反射させる傾斜状の反射面２３が形成されている。図３に示すように、この反射面２３は凹部２２の底部からの上面部に向かって手前方向に傾斜している。スライダ体７の両端側の下面には可動接点収納凹部２４，２４が間隔をおいて形成されており、これら可動接点収納凹部２４，２４には板状の可動接点２５，２５が収納されている。スライダ体７の凹部２２が開口している側の側面には盲孔（図示しない）が穿設され、この盲孔にはスプリング２６を介してボール２７が収納されている。このボール２７は、スライドノブ２の移動方向に平行で且つ近傍に位置するハウジング１の側面１４に弾性的圧接して２つの切換え位置及び中立位置にスライドノブ２がクリック触感をもって保持されるように動作するためのものである。
【００１７】
パドルノブ３は、略円筒状をした本体部３１と、この本体部３１の上面を覆う上面部３２と、本体部３１の下端から略水平に延在する裾部３３とを有している。上面部３２は４つに区分けされ、それら区分け部の略中央には上面部３２の下面に位置する透光性の材料で作られた表示部３４が２成分モールド成形されている。パドルノブ３の上面部３２の下面中央４箇所には、支持台１３の縁に係合する係止爪３５が垂設され、また上面部３２の下面には、後述するゴム接点板８を押圧するための７本の作動杆３６が所定の間隔をおいて支持台１３を囲むように垂設されている。
【００１８】
導光体４は、透光性を有する合成樹脂で作られ、ハウジング１の支持台１３の中央部に位置する入射部３７と、この入射部３７の一側面から延在し、端面がスライダ体７の凹部２２の開口部が位置する側面と相対する側面に近接して対向する導光部３８とを有している。入射部３７の中央部は上下方向に貫通する開口３９が穿設されている。この導光体４は、ゴム接点板８の上に載置される。
【００１９】
ゴム接点板８は、絶縁性と透光性を有するゴムあるいは合成樹脂シートで作られ、組み立てられた時パドルノブ３の各作動杆３６の下端と相対する位置に突設されたスカート部であるゴムばね部４１と、導光体４の開口３９内に嵌入される照明ドーム４２とを有している。各ゴムばね部４１の頂点部は各作動杆３６の下端と接触しており、これによりパドルノブ３は弾性的に保持された形になる。各ゴムばね部４１の頂点部の内面には可動接点（図示しない）が設けられている。
【００２０】
プリント基板５には、ゴム接点板８のゴムばね部４１がパドルノブ３の作動杆３６により押圧された時その可動接点と接する位置に複数の固定接点４５と、スライダ体７の可動接点２５と接触する２組の固定接点４６が形成されている。固定接点４５で囲まれた部分の略中央には照明用ランプ４７が挿通するための丸孔４８が穿設されている。これら固定接点４５，４６の引き回しパターンは、後述するコネクタピン５２に接続される。４９はそのコネクタピン５２を挿通するための小孔である。
【００２１】
底板６は、ハウジング１の開放端部に嵌合されてスイッチ装置の外殻を形成するもので、プリント基板５を載置する底面部５１にはコネクタピン５２が立設されるとともに、照明用ランプ４７の保持部５３が一体的に形成されている。底板６の周縁部には、ハウジング１の各係止凹部１５に係止されるよう対応する数の係止爪５４が形成されている。
【００２２】
次に、このように構成されたミラースイッチ装置の作動を照明用ランプ４７が点灯している場合について説明する。なお、この照明用ランプ４７は運転時は常時、あるいはヘッドライトの点灯に連動して点灯させてもよい。
【００２３】
ハウジング１の上部に突出するスライドノブ２が、図６に示すように、中立位置にある場合には、パドルノブ３の押圧に拘らず、ミラー駆動用のモータが駆動することはない。この時、図６に示すように、スライダ体７も中立位置にあり、連結部２１も開口部１１の略中央部に位置している。
したがって、つまみ部１６の両側に位置する表示部１８，１８には照明用ランプ４７からの光が導光体４の入射部３７から導光部３８を通り、導光部３８の端部からスライダ体７の側面を照光する。そしてこの光はスライダ体７の２つの反射面２３により上方に反射され、開口部１１から両表示部１８，１８を照光することになる。このように中立位置では両表示部１８，１８が明かるくなっていることにより、運転者はミラースイッチ装置が中立位置にあることを容易に理解することができる。なお、パドルノブ３においては、照明用ランプ４７からの光がゴム接点板８の照明ドーム４２からパドルノブ３の上面部３２に位置する表示部３４を照光しているので、全ての表示部３４，３４…は明かるくなっている。
【００２４】
この中立位置から図７に示すように、スライドノブ２を右方向に移動させると、右側の可動接点収納凹部２４に収納されている可動接点２５がプリント基板５の２つの固定接点４６の内、図１において右側の固定接点４６に接触し、右側のミラー駆動用のモータは駆動待機状態となる。この時のスライドノブ２及びスライダ体７は、図７に示すように、右側の表示部１８の下方に右側の遮蔽部１９が差し込まれて光路を遮蔽する。したがって、スライドノブ２の右側の表示部１８は暗くなる。
一方、左側の表示部１８は左側の遮蔽部１９から外れて開口部１１の上方に位置するので、スライダ体７の左側の反射面を反射した照明用ランプ４７からの光はスライドノブ２の左側の表示部１８に到達し、この左側の表示部１８を照光する。このように照光されるのは、反対側の表示部１８であるので、左側に表示部１８の表示マークは右方向を示す表示とし、つまり、動作する方向を指す表示が反対側の表示部に表示されている（図２参照）。
【００２５】
このようにして、右側のミラー駆動用のモータが駆動待機状態になった後は、パドルノブ３の任意の位置を押圧すると、押圧された部分の下方に位置するゴム接点板８のゴムばね部４１が変形し、その部分の可動接点がプリント基板５の固定接点４５と接触してオン状態となり、そのオン信号に基づいて右側のミラー駆動用のモータが正逆何れかの方向に回転し、その駆動力が図示しない動力伝達系を介して、右側のミラ−に伝達され、駆動される。この場合、ゴム接点板８のゴムばね部４１が変形するため、操作者は所定のクリック感触を伴ってオン動作を確認することができる。また、ゴムばね部４１に対する押圧力を解除すると、パドルノブ３はゴムばね部４１の復元力により、図３の状態に戻り、スイッチはオンからオフ状態へと切換えられる。
【００２６】
上述した実施の形態においては、スライドノブ２の表示部１８の表示マークは動作する方向を三角の頂点の方向で示すようにしているが、例えば、図２において、上方の表示部１８を左を表す「Ｌ」として、下方の表示部１８を右を表す「Ｒ」と表示するようにしてもよい。
【００２７】
上述した実施の形態においては、ミラースイッチ装置を例に取って説明したが、本発明はこれに限定されるものではなく、各種のスイッチ装置に適用することができる。なお、スライドノブ２により異なる機器を動作させる場合には、表示部１８には動作させる機器名やシンボルマーク等を設ければよい。
【００２８】
このような前記実施の形態にあっては、スライド自在に配設され、そのスライド方向に間隔をおいて２つの表示部１８，１８を配設したスライダ（２，７）と、スライダ（２，７）のスライドによって切り換えられる接点部（２５）と、スライダ（２，７）の表示部１８に光を投光する照明用ランプ４７と、スライダ（２，７）のスライド方向側の表示部１８への照明用ランプ４７からの光を遮蔽する一対の遮蔽部１９，１９と、一対の遮蔽部１９，１９間に形成され、照明用ランプ４７からの光をスライダ（２，７）の表示部１８へ透過して表示部１８を照光させる開口部１１とを備え、スライダ（２，７）が中立位置にあるときは、照明用ランプ４７からの光を開口部１１を透過して両表示部１８を照光させ、スライダ（２，７）を一方にスライドさせたときは、スライド方向側の遮蔽部１９によって照明用ランプ４７からの光を遮ってスライド方向側の表示部１８を照光させず、もう一方の表示部１８は開口部１１に対向し照明用ランプ４７からの光によって照光されているため、スライダ（２，７）のスライドにより照明用ランプ４７からの光はスライド方向と反対側に位置する表示部１８に対向する開口部１１から投光され、スライド方向とは反対側の表示部１８を照光し、他方の表示部１８を遮蔽部１９によって遮光するので、表示部１８，１８には切換えによって動作する機器や方向あるいは機能を表示しておけば、暗い場所で使用しても確実に切換え状態を認識することができる。
また、中立位置にある時は何れの表示部１８，１８も照光されるので、２つの表示部１８，１８が同時に照光している時は例えばスイッチ装置がオフであるというように暗い場所でも簡単にスイッチ装置の状態を認識できる。
【００２９】
また、前記実施の形態にあっては、四方向にパドルノブ３を操作して多方向のスイッチの切換を行える四方向スイッチ部と、四方向スイッチ部の下部に配設された１つの照明用ランプ４７と、照明用ランプ４７を配して露出させる開口部１１を形成すると共に、四方向スイッチ部の外方方向に配設された導光体４と、パドルノブ３に設けられ、導光体４の開口部３９から露出された照明用ランプ４７からの光によって照光される四方向スイッチ表示部と、照明用ランプ４７の光を導光体４を通って入射させ、かつ導光体４の長手方向と直交する方向にスライドするスライダ（２，７）を有するスライドスイッチ部と、スライダ（２，７）にスライド方向に間隔をあけて配設されたスライドスイッチ表示部１８と、スライダ（２，７）に表示部１８に対応して設けられ、導光体４からの光を表示部１８へ反射する反射面２３と、スライダ（２，７）のスライド方向側の表示部１８への照明用ランプ４７からの光を遮蔽する一対の遮蔽部１９，１９と、一対の遮蔽部１９，１９間に形成され、照明用ランプ４７からの光をスライダ（２，７）の表示部１８へ透過して表示部１８を照光させる開口部１１とを備え、導光体４の開口部３９から露出された照明用ランプ４７からの光によって四方向スイッチ表示部３４を照光するとともに、照明用ランプ４７からの光を導光体４によってスライダ（２，７）の反射面２３に導き、スライダ（２，７）が中立位置にあるときは、照明用ランプ４７からの光を開口部１１を透過して両表示部１８を照光させ、スライダ（２，７）を一方にスライドさせたときは、スライド方向側の遮蔽部１９によって照明用ランプ４７からの光を遮ってスライド方向側の表示部１８を照光させず、もう一方の表示部１８は開口部１１に対向し照明用ランプ４７からの光によって照光されているため、上記作用効果に加えて、照明用ランプ４７からの光は導光体４によってスライドスイッチのスライダ（２，７）の反射面２３に導かれて表示部１８を照光する一方、照明用ランプ４７の上方の四方向スイッチ表示部３４を設けているので、１つの照明用ランプ４７により２つのスイッチ部の表示部１８，３４を照光することができる。
【００３０】
【発明の効果】
請求項１記載の発明によれば、スライダのスライドにより光源手段からの光はスライド方向と反対側に配して対向する開口部から投光され、スライド方向とは反対側のスライドスイッチ表示部を照光し、他方のスライドスイッチ表示部を遮光するので、スライドスイッチ表示部には切換えによって動作する機器や方向あるいは機能を表示しておけば、暗い場所で使用しても確実に切換え状態を認識することができる。
また、中立位置にある時は何れのスライドスイッチ表示部も照光されるので、２つの表示部が同時に照光している時は例えばスイッチ装置がオフであるというように暗い場所でも簡単にスイッチ装置の状態を認識できる。
【００３１】
請求項２記載の発明によれば、請求項１記載の発明により生じる効果に加え、光源手段からの光は導光体によってスライドスイッチのスライダの反射面に導かれてスライドスイッチ表示部を照光する一方、光源手段の上方の四方向スイッチ表示部を設けているので、１つの光源手段により２つのスイッチ部の表示部を照光することができる。
【図面の簡単な説明】
【図１】本発明の一実施の形態を分解して示す分解斜視図である。
【図２】本発明の実施の形態を示す平面図である。
【図３】図２のＡ−Ａ線に沿って切断して示す縦断側面図である。
【図４】本発明の実施の形態における導光体とスライダを示す斜視図である。
【図５】本発明の実施の形態のハウジングの底面図である。
【図６】本発明の実施の形態においてつまみが中立位置にある場合を示す縦断面図である。
【図７】図６の位置からつまみが一方向に切換えられた状態を示す縦断面図である。
【符号の説明】
１  ハウジング
２  スライドノブ
３  パドルノブ
４  導光体
５  プリント基板
７  スライダ体
１８  表示部
２１  連結部
２３  反射面
２５  可動接点
３４  表示部
４７  照明用ランプ
【図１】
0003547249.tif 000002
【図２】
0003547249.tif 000003
【図３】
0003547249.tif 000004
【図４】
0003547249.tif 000005
【図５】
0003547249.tif 000006
【図６】
0003547249.tif 000007
【図７】
0003547249.tif 000008